(57)【要約】【課題】ＩＤ付きディスクに記録された複数の暗号化コンテンツ部分を段階的に利用可能とでき、また、ディスク制作コストを抑制する。【解決手段】コンテンツ制作者１０によってディスクに記録するデータが作成される。暗号化として、ディスクの全体の暗号化のための暗号化と、区分けされたコンテンツ部分の暗号化とが使用される。暗号化コンテンツは、ＣＤ−Ｒライター１５によって、ＣＤ−Ｒに記録され、ＣＤ−Ｒをマスターとして、コンテンツデータと共に固有のＩＤが記録されたディスクが製造される。版権元２０が備えるデータベース２３には、ディスクのＩＤ毎の決済情報が保管され、データベース２３を参照することによって、ディスク毎にコンテンツ部分毎に支払料金が分かり、ユーザ３０に対して配布できる暗号化鍵が分かる。ＩＤ毎の決済情報は、ユーザ３０または販売店４０から版権元２０に送信される。【選択図】　図４
2004023607.tif 000002
【特許請求の範囲】
【請求項１】
暗号化されたコンテンツが記録されたデータ記録媒体において、
データ記録媒体に固有の識別情報と、互いに異なる暗号化鍵によって複数のコンテンツ部分が暗号化され、暗号化された複数のコンテンツ部分の全体がさらに上記識別情報と関連付けられた暗号化鍵によって暗号化された暗号化コンテンツデータとが記録されているデータ記録媒体。
【請求項２】
請求項１において、
上記複数のコンテンツ部分は、段階的に利用されるものであるデータ記録媒体。
【請求項３】
請求項１において、
さらに、暗号化されていないコンテンツ部分が記録されているデータ記録媒体。
【請求項４】
暗号化されたコンテンツが記録されたデータ記録媒体を提供する版権元のサーバ装置において、
データ記録媒体には、固有の識別情報と、互いに異なる暗号化鍵によって複数のコンテンツ部分が暗号化され、暗号化された複数のコンテンツ部分の全体がさらに上記識別情報と関連付けられた暗号化鍵によって暗号化された暗号化コンテンツデータとが記録されており、
上記識別情報毎に決済情報が記録されたデータベースを備え、
上記データベースを参照して上記コンテンツ部分を復号するための暗号化鍵の提供を制御するサーバ。
【請求項５】
請求項４において、
上記複数のコンテンツ部分は、段階的に利用されるものであるサーバ。
【請求項６】
請求項４において、
上記データ記録媒体に、さらに、暗号化されていないコンテンツ部分が記録されているサーバ。
【請求項７】
暗号化されたコンテンツが記録されたデータ記録媒体を利用する端末装置において、
データ記録媒体には、固有の識別情報と、互いに異なる暗号化鍵によって複数のコンテンツ部分が暗号化され、暗号化された複数のコンテンツ部分の全体がさらに上記識別情報と関連付けられた暗号化鍵によって暗号化された暗号化コンテンツデータとが記録されており、
上記識別情報と共に、上記コンテンツ部分の利用要求に応じた決済情報をサーバに対して送信し、
サーバから上記決済情報に応じてコンテンツ部分を復号する暗号化鍵を受け取る端末装置。
【請求項８】
請求項７において、
上記複数のコンテンツ部分は、段階的に利用されるものである端末装置。
【請求項９】
請求項７において、
上記データ記録媒体に、さらに、暗号化されていないコンテンツ部分が記録されている端末装置。
【請求項１０】
データ記録媒体上に記録された暗号化されたコンテンツを利用するコンテンツ利用システムにおいて、
データ記録媒体には、固有の識別情報と、互いに異なる暗号化鍵によって複数のコンテンツ部分が暗号化され、暗号化された複数のコンテンツ部分の全体がさらに上記識別情報と関連付けられた暗号化鍵によって暗号化された暗号化コンテンツデータとが記録されており、
上記データ記録媒体を提供する版権元のサーバは、
上記識別情報毎に決済情報が記録されたデータベースを備え、
上記データベースを参照して上記コンテンツ部分を復号するための暗号化鍵の提供を制御し、
上記データ記録媒体を利用する端末装置は、
上記識別情報と共に、上記コンテンツ部分の利用要求に応じた決済情報を上記サーバに対して送信し、
上記サーバから上記決済情報に応じてコンテンツ部分を復号する暗号化鍵を受け取るように構成されたコンテンツ利用システム。
【発明の詳細な説明】
【０００１】
【発明の属する技術分野】
この発明は、例えば読み出し専用（ＲＯＭ）タイプの光ディスクに記録されているゲームソフトウェア、アプリケーションソフトウェア等のコンテンツを利用するためのデータ記録媒体、サーバ、端末装置およびコンテンツ利用システムに関する。
【０００２】
【従来の技術】
ＣＤ（コンパクトディスク）には、音楽データが記録され、コンピュータのアプリケーションソフトウェアのプログラムがＣＤ−ＲＯＭに記録されている。従来は、ＣＤ或いはＣＤ−ＲＯＭのような記録済みディスクに固有の識別情報（以下、適宜ＩＤと略す）が存在していなかった。
【０００３】
【発明が解決しようとする課題】
したがって、そのディスクに特有の情報となる支払い金額、利用状況の特定や、追跡ができず、個々のディスクとユーザを組にした管理ができなかった。また、複数のコンテンツがディスクに記録されている場合に、ユーザは、全てのコンテンツの閲覧を望むとは限らず、その一部のコンテンツのみが開示すれば足りることもありうる。しかしながら、ユーザの支払状況に応じて、一部のコンテンツのみを開示することが従来ではなされていなかった。一方、版権元は、ユーザの利用要求、価格負担等を考慮して、複数種類のディスクを制作する必要があり、制作コストが上昇する問題があった。
【０００４】
したがって、この発明の目的は、ディスクとユーザとを対にして管理することを可能とし、また、ユーザの対価の支払状況等に応じて、段階的に一部のコンテンツを開示することを可能とでき、さらに、ディスクの制作コストを抑制することができるデータ記録媒体、サーバ、端末装置およびコンテンツ利用システムを提供することにある。
【０００５】
【課題を解決するための手段】
上述した課題を解決するために、請求項１の発明は、暗号化されたコンテンツが記録されたデータ記録媒体において、
データ記録媒体に固有の識別情報と、互いに異なる暗号化鍵によって複数のコンテンツ部分が暗号化され、暗号化された複数のコンテンツ部分の全体がさらに識別情報と関連付けられた暗号化鍵によって暗号化された暗号化コンテンツデータとが記録されているデータ記録媒体である。
【０００６】
請求項４の発明は、暗号化されたコンテンツが記録されたデータ記録媒体を提供する版権元のサーバ装置において、
データ記録媒体には、固有の識別情報と、互いに異なる暗号化鍵によって複数のコンテンツ部分が暗号化され、暗号化された複数のコンテンツ部分の全体がさらに識別情報と関連付けられた暗号化鍵によって暗号化された暗号化コンテンツデータとが記録されており、
識別情報毎に決済情報が記録されたデータベースを備え、
データベースを参照してコンテンツ部分を復号するための暗号化鍵の提供を制御するサーバである。
【０００７】
請求項７の発明は、暗号化されたコンテンツが記録されたデータ記録媒体を利用する端末装置において、
データ記録媒体には、固有の識別情報と、互いに異なる暗号化鍵によって複数のコンテンツ部分が暗号化され、暗号化された複数のコンテンツ部分の全体がさらに識別情報と関連付けられた暗号化鍵によって暗号化された暗号化コンテンツデータとが記録されており、
識別情報と共に、コンテンツ部分の利用要求に応じた決済情報をサーバに対して送信し、
サーバから決済情報に応じてコンテンツ部分を復号する暗号化鍵を受け取る端末装置である。
【０００８】
請求項１０の発明は、データ記録媒体上に記録された暗号化されたコンテンツを利用するコンテンツ利用システムにおいて、
データ記録媒体には、固有の識別情報と、互いに異なる暗号化鍵によって複数のコンテンツ部分が暗号化され、暗号化された複数のコンテンツ部分の全体がさらに識別情報と関連付けられた暗号化鍵によって暗号化された暗号化コンテンツデータとが記録されており、
データ記録媒体を提供する版権元のサーバは、
識別情報毎に決済情報が記録されたデータベースを備え、
データベースを参照してコンテンツ部分を復号するための暗号化鍵の提供を制御し、
データ記録媒体を利用する端末装置は、
識別情報と共に、コンテンツ部分の利用要求に応じた決済情報をサーバに対して送信し、
サーバから決済情報に応じてコンテンツ部分を復号する暗号化鍵を受け取るように構成されたコンテンツ利用システムである。
【０００９】
この発明では、識別情報によって、版権元がディスク毎に決済情報を管理することができ、決済情報に応じて複数のコンテンツ部分の段階的な利用を可能とすることができる。ユーザは、利用したいコンテンツ部分に応じた対価を支払うことによって、料金の負担を軽減できる。一方、版権元は、１種類のディスクのみを制作すれば良く、制作コストを抑制できる。さらに、ディスクのコンテンツ部分の全体に対して識別情報と関連した暗号化鍵によって暗号化がされているので、違法なコピーに対する保護を図ることができる。
【００１０】
【発明の実施の形態】
以下、この発明の一実施形態について説明する。一実施形態では、アプリケーションソフトウェア、映画ソフト、音楽ソフト等が記録されている光ディスク例えばＣＤ−ＲＯＭに対して、固有の識別情報（以下、適宜ＩＤと称する）が記録されている。ＩＤは、個々のディスクを識別するための情報である。個々のディスクを識別できれば良いので、番号以外の記号、文字等を使用しても良い。また、ＩＤによって、アプリケーションソフトウェアを記録した所定の枚数のＣＤ−ＲＯＭが一意に識別される。ＩＤは、例えば既存のＣＤプレーヤまたはＣＤ−ＲＯＭドライブによって読み取ることが可能なように記録される。最初に、一実施形態の理解を容易とするために、光ディスク例えばＣＤの構造について説明する。
【００１１】
図１は、既存のＣＤ−ＲＯＭの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤ−ＲＯＭには、下側からレーザ光が照射される。
【００１２】
レーザ光が当たる下側から順に、厚さ１．２ｍｍの透明ディスク基板１と、その上に被覆された反射膜２と、反射膜２に被覆された保護膜３とが順に積層された構造とされている。反射膜２は、高い反射率を持つものが使用される。ＣＤ−ＲＯＭは、読み出し専用ディスクであるが、後述するように、反射膜２が被覆された後に、反射膜２に対して高出力のレーザ光を使用して情報（ＩＤ）が記録される。
【００１３】
このようなＣＤ−ＲＯＭの製造工程の流れを図２を参照して説明する。ステップＳ１では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００１４】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤ−ＲＯＭが製作されていた。
【００１５】
一方、図２の例では、反射膜（ミラー部例えばランド）に対して高出力のレーザ光を照射して、さらに、情報を追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用してピット長またはランド長を変化させ、情報を記録することができる。この場合、反射膜は、反射率がレーザ照射により変化する材料が使用される。反射率が低下するものに限らず、記録によって反射率が高くなる材料もある。
【００１６】
具体的には、アルミニウムの合金膜Ａｌ１００−ｘＸｘで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００１７】
また、反射膜をＡｇ１００−ｘＸｘのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００１８】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００１９】
図３は、ＩＤの追加記録の方法をより具体的に説明するための図である。記録データとピットおよびランドの対応の仕方は、前のパターンとの関係でパターンＡと、パターンＢとがありうる。
【００２０】
最初にパターンＡについて説明する。シンボル間に３ビットの例えばマージビット（０００）が挿入される。追加記録をする場合、８ビットのデータシンボルが例えば（０ｘ４７）とされる。０ｘは、１６進表記を意味する。この８ビットをＥＦＭ（ｅｉｇｈｔ　ｔｏ　ｆｏｕｒｔｅｅｎ　ｍｏｄｕｌａｔｉｏｎ）変調した結果の１４ビットのパターン（００１００１００１００１００）が図３に示されている。
【００２１】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００２２】
パターンＢの場合では、マージビットが（００１）となる。この場合も、パターンＡと同様に、斜線領域にレーザビームを照射することによって、８ビットを（０ｘ４７）から（０ｘ０７）へと変化させることができる。
【００２３】
上述したように、元々は、（０ｘ４７）であったデータシンボルを（０ｘ０７）へ書き換えることができる。この例以外にも追加記録できるデータの種類としては、多々存在する。例えば元々（０ｘ４０）であったデータシンボルを（０ｘ００）へ変化させることができる。但し、追加記録は、元々記録されているデータのミラー部に対してレーザを照射することによって、ピット長またランド長を変えるものであるので、追加記録できるデータの種類が制限される。
【００２４】
図３は、追加記録の一例であり、ＩＤを記録する方法としては、予め決めている区間で、意図的にＥＦＭエラーを生じさせ、ＥＦＭエラーの有無によってＩＤを追記する方法、エラー訂正符号によって訂正できないエラーを意図的に追記する方法等の種々の方法が可能である。このようにディスク上に記録されたＩＤは、ディスク基板上のピットとして形成されていないので、ディスク基板を原盤として利用して違法に作成されたディスクにはＩＤがコピーされない。また、追加記録の際の符号化によって、簡単にＩＤの内容を判別することができない。したがって、通常は、ＩＤが違法に読み取られることを防止できる。若し、ＩＤが違法に読み取られたとしても、そのディスクのみの情報であり、他のディスクのＩＤとして有効なものではないので、ＩＤが読み取られることにより生じる被害が少ない利点がある。
【００２５】
この発明は、上述したように、ディスク識別用のＩＤが記録されたＣＤ−ＲＯＭ等のディスクを利用したビジネスモデルを提案するものである。以下、この発明によるビジネスモデルの一例について説明する。以下の説明では、上述したディスクを適宜ＩＤ付きディスクと呼ぶことにする。
【００２６】
図４は、ビジネスモデルを実現するためのシステム構成を示す。参照符号１０は、コンテンツの制作者を示し、参照符号１１がコンテンツ制作者のパーソナルコンピュータ（以下、適宜ＰＣと略す）である。ＰＣ１１は、ＣＤ−ＲＯＭ制作用のアプリケーションがインストールされた汎用のＰＣである。インターネットインターフェース１２は、インターネットとのインターフェースである。インターネットインターフェース１２として、１０ＢＡＳＥ−Ｔ、１００ＢＡＳＥ−Ｔ、ＡＤＳＬ（Ａｓｙｍｍｅｔｒｉｃ　Ｄｉｇｉｔａｌ　Ｓｕｂｓｃｒｉｂｅｒ　Ｌｉｎｅ）、ＰＰＰ（Ｐｏｉｎｔ−ｔｏ−Ｐｏｉｎｔ　Ｐｒｏｔｏｃｏｌ）等を使用できる。
【００２７】
コンテンツの制作者１０のＰＣ１１には、ディスクの全体の暗号化のための暗号化ソフトウェア１３と、区分けされた部分の暗号化のためのソフトウェア１４とがインストールされている。ここで、全体の暗号化とは、ディスクのＩＤ自体またはＩＤと関連したデータを暗号化鍵群としてデータを暗号化することである。区分けされた部分の暗号化鍵とは、複数のコンテンツ部分（以下、チャプターと適宜と称する）を互いに異なる暗号化鍵で暗号化することである。完成した暗号化コンテンツは、ＣＤ−Ｒライター１５によって、ＣＤ−Ｒに対して記録される。
【００２８】
ＣＤ−Ｒをマスターとして、図示しないディスク製造工場においては、図１を参照して説明したような工程でもって、ＩＤ付きディスクが製造される。後述する版権元２０がコンテンツ制作者１０およびディスク製造工場に対して指示を行い、所望のコンテンツが記録されたディスクが所望の枚数製造される。暗号化されたコンテンツが記録されたディスクは、各ディスクを識別できるＩＤが追加記録されている。ディスク製造工場では、どのような内容のＩＤを記録したかの情報を持っている。このＩＤと暗号化コンテンツの対の情報は、版権元２０へインターネットを介して送信される。
【００２９】
参照符号２０が版権元を示し、参照符号２１が版権元２０のＰＣである。ＰＣ２１は、インターネットインターフェース２２と２種類のデータベース２３、２４との間の相互データ通信を司る。インターネットインターフェース２２は、インターネットとのインターフェースを示す。インターネットインターフェース２２として、１０ＢＡＳＥ−Ｔ、１００ＢＡＳＥ−Ｔ、ＡＤＳＬ、ＰＰＰ等が使用できる。
【００３０】
版権元２０が備えるデータベース２３には、後述する販売店４０から例えばインターネットを介して送られてきたディスクのＩＤ毎の決済情報が保管される。後述するユーザ３０からインターネットを介して決済情報が版権元２０へ送信されることも可能である。データベース２３を参照することによって、送られてきたＩＤ内容を確認した後、最初にどの課金レベルでそのＩＤのディスクが配布されたかが判定できる。例えばディスクに記録されている全てのコンテンツを閲覧可能とする料金が支払われているか、または一部のコンテンツのみを閲覧可能とする料金が支払われているか等の決済情報がディスク２３に保管される。
【００３１】
他方のデータベース２４には、コンテンツの制作者１０から受け取った暗号化鍵対コンテンツの情報が格納されている。すなわち、区分けされた部分の暗号化の暗号化鍵情報がデータベース２４に保管され、データベース２４で判断された結果に基づいて、ユーザに対して配布する鍵が選択される。
【００３２】
参照符号３０がユーザを示し、参照符号３１がユーザの端末装置例えばＰＣを示す。ＰＣ３１は、家庭や事務所で通常使用される汎用のものである。ＰＣ３１には、予めＩＤ付きディスクを利用するためのアプリケーションソフトウェアがインストールされている。参照符号３２は、ＰＣ３１に内蔵されているＣＤ−ＲＯＭドライブを示す。参照符号３３は、インターネットとのインターフェースを示す。インターネットインターフェース３３として、１０ＢＡＳＥ−Ｔ、１００ＢＡＳＥ−Ｔ、ＡＤＳＬ、ＰＰＰ等が使用できる。インターネットインターフェース３３を介してユーザ３０が版権元２０に対して決済情報を送信できる。
【００３３】
参照符号４０は、販売店を示し、参照符号４１が販売店４０の端末を示す。端末４１は、決済処理可能な端末である。例えば課金処理するために、バーコードリーダ４２を端末４１が備えている。バーコードリーダ４２によって、商品分類とディスクに書かれているＩＤの内容とを示すバーコード４３が読み取られ、版権元２０のデータベース２３が構築されているサーバーに情報が送られる。商品分類（例えばタイトル番号）、ＩＤの内容（例えばシリアル番号）等の情報が版権元２０のサーバに送られる。同時に、前述したように、頒布したディスクのＩＤと、そのディスクの決済条件の情報が版権元２０のサーバに送られ、データベース２３が構築される。有料と限らず、無料でディスクが頒布されることもありうる。また、決済条件の情報には、どの範囲のコンテンツの閲覧を希望するかに応じてそのディスクに対して支払われた支払価格の情報が含まれる。
【００３４】
参照符号５０がＩＤ付きディスクである。版権元２０が制作したコンテンツがＩＤ付きディスク５０に記録されている。ディスク５０上に記録されているコンテンツは、部分毎に暗号化鍵で暗号化されていると共に、コンテンツデータ全体が暗号化鍵群で暗号化されている。
【００３５】
図５は、ディスク上に記録されるコンテンツの暗号化処理の概略を示すものである。図５において、最上段のコンテンツデータＤＴ１は、１枚のディスクに記録しようとするコンテンツデータを示す。コンテンツデータＤＴ１は、チャプター１（Ｃｈ−１）からチャプター７（Ｃｈ−７）までで構成されている。一例として、チャプターは、その番号の順序にしたがって段階的に利用されるものである。
【００３６】
各チャプターは、それぞれ異なる暗号化鍵（Ｋｅｙ−Ａ，Ｋｅｙ−Ｂ，Ｋｅｙ−Ｃ，Ｋｅｙ−Ｄ，Ｋｅｙ−Ｅ，Ｋｅｙ−Ｆ，Ｋｅｙ−Ｇ）によって暗号化されている。暗号化鍵は、コンテンツ制作者が予め設定した暗号化鍵群ＫＬ１から選択されたものである。図５において、ＡＬ１は、チャプター毎の暗号化（区分け暗号化）を行うアルゴリズムを表している。例えばチャプターＣｈ−１のコンテンツデータが暗号化鍵Ｋｅｙ−Ａによって暗号化される。図５において、ＤＴ２は、各チャプターのデータが異なる暗号化鍵によってそれぞれ暗号化された区分け暗号化データを示している。暗号化アルゴリズムとしては、ＤＥＳ（Ｄａｔａ　Ｅｎｃｒｙｐｔｉｏｎ　Ｓｔａｎｄａｒｄ）等を使用できる。
【００３７】
そして、区分け暗号化されたチャプター１（Ｃｈ−１＊）〜チャプター７（Ｃｈ−７＊）からなるデータＤＴ２が全体暗号化される。この場合、暗号化鍵群ＫＬ２からの暗号化鍵Ｋｅｙ−Ｍａｉｎ＃１と、ＡＬ２で示す暗号化アルゴリズムとが使用される。全体暗号化のために使用される暗号化鍵は、ＩＤ自体、またはＩＤと関連付けられたもので、ＩＤが異なれば、全体暗号化の暗号化鍵も異なる。暗号化アルゴリズムとしては、ＤＥＳ等を使用できる。前述したように、ＩＤは、違法にコピーされるおそれが少なく、また、ＩＤの判読も困難とされている。したがって、全体暗号化鍵を違法に取得することが困難であり、全体暗号化によって、コピープロテクションを図ることができる。
【００３８】
暗号化アルゴリズムＡＬ１およびＡＬ２の両者で二重に暗号化されたデータＤＴ３がディスク上に記録される。例えばリードインエリアとプログラムエリアとリードアウトエリアとによって、１つのセッションが構成される場合では、プログラムエリアに対してコンテンツデータＤＴ３が記録される。
【００３９】
上述した図４に示すシステム構成において、この発明により提供されるビジネスモデルの一例について説明する。ユーザ３０は、版権元２０が頒布したＩＤ付きディスクを入手する。例えばコンピュータプログラム、ゲームソフトウェア、音楽ソフト、映画ソフト等がディスクに記録されている。ＩＤ付きディスクに記録されているコンテンツは、図５を参照して説明したように、チャプター毎に区分け暗号化で暗号化されていると共に、コンテンツデータの全体が全体暗号化が暗号化されているものである。
【００４０】
ユーザ３０がディスクを入手する方法としては、二通り可能である。第１の方法は、対価ゼロでＩＤ付きディスクを入手した後、版権元２０に対してネットワーク経由で一部または全部のコンテンツの決済処理を行う方法である。その結果、コンテンツがプログラムの場合では、そのプログラムを利用する権利をユーザ３０が取得し、コンテンツが音楽、映画等の場合には、その音楽、映画等を視聴する視聴権をユーザ３０が獲得する。以下の記載では、ユーザ３０がプログラムを利用する権利、並びにユーザ３０がコンテンツを視聴する権利をまとめてコンテンツ利用権と称することにする。
【００４１】
一方、版権元２０は、決済処理を通じてユーザ３０からＩＤの内容とユーザが支払った対価の情報を得る。ＩＤの内容とは、ＩＤの番号、ＩＤとして記録されるコンテンツのタイトル情報、ディスク製造年月日の情報等である。なお、ディスクには、暗号化されておらず、無料で使用できる、お試し版や、サンプルが記録されている。
【００４２】
第２の方法は、既に存在している利用可能な物品購入経路で、ユーザ３０が一部または全部のコンテンツに対価を支払い、ＩＤ付きディスクを入手する。図４のシステムにおける販売店４０からＩＤ付きディスクをユーザ３０が入手する経路が物品購入経路の一例である。この際に、ＩＤの内容と対価の額を販売店４０が版権元２０に例えばインターネットを介して報告する。
【００４３】
版権元２０は、上述した第１の方法または第２の方法において受け取ったＩＤの内容とユーザ３０が支払った対価の情報とを対にして記録したデータベース２３を構築する。版権元２０は、このデータベース２３を参照して、ユーザに渡す鍵の範囲を決定する。
【００４４】
ユーザ３０は、取得したＩＤ付きディスクをＰＣ３１のＣＤ−ＲＯＭドライブ３２に挿入する。ＰＣ３１にインストールされたソフトウェアによって、ＰＣ３１が最初にＩＤをディスクから読み取る。正しくＩＤが読み取られると、全体暗号化の暗号化鍵を取得でき、全体暗号化の復号が可能となる。ユーザ３０がお試し版や、サンプルのチャプター、または支払済みのチャプターを気に入り、関連するチャプターをさらに利用したくなった場合では、ネットワーク経由で、版権元２０に対して追加の決済処理を行い、コンテンツ利用権を購入する。
【００４５】
版権元２０は、データベース２３において、追加して支払われたＩＤの決済情報を更新する。そして、追加して支払われた対価に相当するチャプターを利用可能とするための鍵をネットワーク経由でユーザ３０に送信する。鍵を受信したユーザ３０が新たなチャプターを利用可能となる。
【００４６】
以上のビジネスモデルの一例では、ユーザ３０がＩＤ付きディスクの入手時点では、必要か否かを即決できないコンテンツに対価を支払う必要がなく、無駄な対価を支払うことを防止できる。一方、版権元２０は、ユーザ３０が支払った対価に応じて、部分的、または段階的にディスク上に記録されているコンテンツの各チャプターに関する暗号化鍵を渡せば良いので、１種類のディスクの制作で済み、制作コストを抑制することができる。
【００４７】
次に、この発明によるビジネスモデルの他の例について説明する。他の例は、ＩＤ付きディスクに記録されているコンテンツが学習用プログラム、訓練用プログラムの場合に好適なものである。ユーザ（この例では学習者）３０は、世の中で存在する物品購入経路例えば販売店４０に対して対価を支払い、版権元２０から発売されたＩＤ付きディスク５０を購入する。ＩＤ付きディスク５０には、学習用または訓練用プログラムが記録されている。正当に入手されたＩＤ付きディスク５０の全体暗号化をユーザ３０のＰＣ３１において復号できる。
【００４８】
販売店４０は、版権元２０に対して、販売したＩＤ内容とユーザ３０の支払った対価を例えばインターネットを介して報告する。版権元２０は、販売店４０からのＩＤ情報と対価とが対になったデータベース２３を構築し、ユーザ３０が追加コンテンツ部分の利用を要求してきた場合に、追加情報を復号するための鍵を渡すことができるように準備をする。
【００４９】
学習者としてのユーザ３０が基本コンテンツを見て学習し、学習の進捗状況の評価を受けるための試験をネットワーク経由で行う。試験の管理は、例えば版権元２０が行う。試験結果から補習が必要と判定された場合には、インターネットを通じて版権元２０に対して決済を行い、補習教材のチャプターを閲覧することを可能とする暗号化鍵を版権元２０から購入する。例えばユーザ３０は、ディスク５０から読み取られたＩＤと共に、決済情報（例えば決済方法、クレジットカードの番号等）を版権元２０に対して送信する。版権元２０は、データベース２３において、追加して支払われたＩＤの決済情報を更新する。そして、追加して支払われた対価分の補習教材のチャプターを利用可能とするための鍵をネットワーク経由でユーザ３０に送信し、ユーザ３０が閲覧できるようにする。
【００５０】
若し、ユーザ３０の能力が高く、試験結果が良い場合には、補習用教材が不要であるので、補習用教材に対して対価を支払う必要が無い。一方、版権元２０は、ユーザ３０の能力、要求等に応じて、段階的にディスク５０上にある教材を開示する暗号化鍵を渡せば良いので、１種類のディスクのみを制作すれば良く、制作コストを抑制することができる。
【００５１】
この発明は、上述したこの発明の一実施形態に限定されるものでは無く、この発明の要旨を逸脱しない範囲内で様々な変形や応用が可能である。例えばユーザの対価の支払方法としては、ユーザが希望すれば、ディスク上の全てのコンテンツを利用可能とする対価を支払うことを可能としても良い。また、この発明は、反射膜に対する追加記録に限らず、相変化膜、光磁気記録膜等に対して追加記録することによって、ＩＤを記録することも可能である。また、この発明は、例えばＤＶＤビデオ、ＤＶＤ−ＲＯＭに対しても適用できる。さらに、この発明は、光ディスク媒体に限らず、半導体メモリ、メモリカード等のデータ記録媒体に対して適用することができる。
【００５２】
【発明の効果】
以上の説明から明らかなように、この発明によれば、ディスク等のデータ記録媒体に固有のＩＤが記録され、また、コンテンツが区分け暗号化されているので、ＩＤ単位且つコンテンツの部分毎に決済情報を管理することができる。それによって、ユーザが不要なコンテンツに対して対価を支払うことを防止できる。一方、コンテンツ制作者は、複数の部分からなる１種類のコンテンツが記録されたデータ記録媒体を制作すれば良く、多品種少量生産と比較して制作コストを抑制することができる。さらに、ＩＤ自体またはＩＤと関連した暗号化鍵によって、コンテンツ全体を暗号化するので、コンテンツの著作権を保護することができる。
【図面の簡単な説明】
【図１】従来のＣＤの記録パターンとＣＤの構造を説明するための略線図である。
【図２】この発明の一実施形態におけるディスクの製造工程を説明するための略線図である。
【図３】この発明の一実施形態における追加記録の説明に用いる略線図である。
【図４】この発明の一実施形態におけるコンテンツ利用システムの構成を示す略線図である。
【図５】この発明の一実施形態における暗号化処理の説明に用いる略線図である。
【符号の説明】
１０・・・コンテンツ制作者、２０・・・版権元、３０・・・ユーザ、４０・・・販売店、５０・・・ＩＤ付きディスク
【図１】
2004023607.tif 000003
【図２】
2004023607.tif 000004
【図３】
2004023607.tif 000005
【図４】
2004023607.tif 000006
【図５】
2004023607.tif 000007